(57)【要約】【課題】安全性に優れたドア錠を提供することである。【解決手段】シリンダカム２０の一方向の回転によって施錠位置に向けて押圧されるデッドボルト４の後端部にシリンダカム２０の他方向の回転によって解錠方向に押圧される連動枠８をデッドボルト４に対して一定ストローク相対的に移動自在に設ける。デッドボルト４の下方に揺動可能なロックレバー１３と、そのロックレバー１３の先端がデッドボルト４の下面に当接する方向にロックレバー１３を付勢するスプリング１５とを設ける。デッドボルト４の下面に第１係止段部１６と第２係止段部１７とを設け、デッドボルト４の中途半端な施錠状態で第２係止段部１７をロックレバー１３の先端に対向させてデッドボルト４が解錠方向に向けて移動するのを防止し、ドア錠の安全性を高める。【選択図】図１
2005273370.tif 000002
【特許請求の範囲】
【請求項１】
角形のケースの前側に取り付けられたフロントプレートにボルト挿入孔を設け、そのボルト挿入孔内に先端部が挿入されたデッドボルトを、先端部がボルト挿入孔から外部に所定長さ突出する施錠位置と、先端面がフロントプレートの表面とほぼ同一面を形成する解錠位置との間で移動自在に支持し、そのデッドボルトのケース内に位置する後端部に連動枠をデッドボルトの移動方向に一定ストローク相対的に移動自在に取付け、前記ケース内にはシリンダ錠およびサムターンによって正逆両方向に回動されるシリンダカムを設け、そのシリンダカムの外周に、一方向への回動時にデッドボルトを施錠方向に向けて押圧すると共に、他方向への回動時に連動枠を解錠方向に向けて押圧する突片を設け、前記ケース内には後端部を中心として揺動可能なロックレバーと、そのロックレバーの先端部がデッドボルトの下面に接触する方向にロックレバーを付勢するスプリングとを設け、前記デッドボルトの下面には、そのデッドボルトの完全な施錠状態および中途半端な施錠状態において前記ロックレバーの先端と対向してデッドボルトが解錠位置に向けて移動するのを防止する複数の係止段部をデッドボルトの長さ方向に間隔をおいて設け、前記連動枠の下面には、その連動枠がデッドボルトに対して解錠位置に向けて先行して移動する移動時にロックレバーを係合解除位置に向けて押圧する傾斜縁を設けたドア錠。
【発明の詳細な説明】
【技術分野】
【０００１】
この発明は、開閉可能なドアを閉鎖位置において施錠するドア錠に関するものである。
【背景技術】
【０００２】
一般に、ドア錠においては、シリンダ錠のピンシリンダの回転およびサムターンの回転操作によってシリンダカムを回転し、そのシリンダカムに設けられた突片の一方向への回転によりデッドボルトを施錠位置に向けて移動させ、他方向への回転によって解錠位置に向けて移動させるようにしている。
【０００３】
上記のようなドア錠においては、シリンダ錠のピンシリンダに設けられたトルク伝達片をシリンダカムの軸挿入孔内に挿入し、その軸挿入孔の内周対向位置に形成された突出部を前記トルク伝達片で押圧することによりデッドボルト押圧用のシリンダカムを回転させるようにしている。このとき、突出部とトルク伝達片との間にほぼ９０°の回転方向の遊びがあり、施錠位置のデッドボルトに押し込み方向の外力が加えられると、デッドボルトが解錠位置に移動するおそれがある。
【０００４】
そのような不都合を解消するため、デッドボルトの下方に揺動可能なロックレバーを設け、そのロックレバーの先端部がデッドボルトの下面に当接する方向にロックレバーをスプリングで付勢し、前記デッドボルトが施錠位置まで移動したとき、デッドボルトの下面に設けられた係止段部にロックレバーの先端を係合させてデッドボルトを施錠位置でロックするようにしている。
【０００５】
なお、シリンダカムの突片の他方向への回動時に、ロックレバーをスプリングの弾力に抗して下方向に揺動させ、その先端と係止段部の係合を解除したのち、前記突片によってデッドボルトを解錠位置まで移動させるようにしている。
【発明の開示】
【発明が解決しようとする課題】
【０００６】
ところで、上記従来のドア錠においては、デッドボルトが施錠位置まで完全に移動しなければ係止段部にロックレバーの先端が係合せず、出入口の内周に形成されたロック孔に詰め物がされてデッドボルトが中途半端に施錠されると、ロックレバーの先端は、係止段部に係合しない。
【０００７】
このとき、ピンシリンダに設けられたトルク伝達片とシリンダカムの軸挿入孔の内周に形成された突出部との間には前述のように回転方向に遊びがあるため、シリンダ錠から操作キーを引き抜くことができる。
【０００８】
このため、ロック孔に詰め物がされ、デッドボルトが中途半端に施錠された状態でシリンダ錠から操作キーが引き抜かれると、操作キーの所持者は施錠したものと思い込むおそれがある。
【０００９】
この場合、外部からデッドボルトに押し込み方向の外力が加えられると、デッドボルトは解除位置まで移動し、住居内に不法に侵入されるおそれがある。
【００１０】
この発明は、デッドボルトが中途半端に施錠された場合でも、そのデッドボルトを施錠位置に確実に保持することができるようにした安全性の高いドア錠を提供することである。
【課題を解決するための手段】
【００１１】
上記の課題を解決するため、この発明においては、角形のケースの前側に取り付けられたフロントプレートにボルト挿入孔を設け、そのボルト挿入孔内に先端部が挿入されたデッドボルトを、先端部がボルト挿入孔から外部に所定長さ突出する施錠位置と、先端面がフロントプレートの表面とほぼ同一面を形成する解錠位置との間で移動自在に支持し、そのデッドボルトのケース内に位置する後端部に連動枠をデッドボルトの移動方向に一定ストローク相対的に移動自在に取付け、前記ケース内にはシリンダ錠およびサムターンによって正逆両方向に回動されるシリンダカムを設け、そのシリンダカムの外周に、一方向への回動時にデッドボルトを施錠方向に向けて押圧すると共に、他方向への回動時に連動枠を解錠方向に向けて押圧する突片を設け、前記ケース内には後端部を中心として揺動可能なロックレバーと、そのロックレバーの先端部がデッドボルトの下面に接触する方向にロックレバーを付勢するスプリングとを設け、前記デッドボルトの下面には、そのデッドボルトの完全な施錠状態および中途半端な施錠状態において前記ロックレバーの先端と対向してデッドボルトが解錠位置に向けて移動するのを防止する複数の係止段部をデッドボルトの長さ方向に間隔をおいて設け、前記連動枠の下面には、その連動枠がデッドボルトに対して解錠位置に向けて先行して移動する移動時にロックレバーを係合解除位置に向けて押圧する傾斜縁を設けた構成を採用したのである。
【発明の効果】
【００１２】
上記の構成から成る発明においては、出入口の内周に形成されたロック孔内に詰め物がされ、あるいはごみが溜まってデッドボルトが中途半端に施錠状態とされても、ロックレバーの先端はデッドボルトの下面に形成された複数の係止段部の一つに対向してデッドボルトが解錠方向に移動するのを防止するため、デッドボルトを中途半端な施錠状態に確実に保持することができ、完全性に優れたドア錠を提供することができる。
【発明を実施するための最良の形態】
【００１３】
以下、この発明の実施の形態を図面に基づいて説明する。図１および図２に示すように、角形のケース１の前側にはフロントプレート２が取り付けられ、そのフロントプレート２にボルト挿入孔３が形成されている。
【００１４】
ケース１内にはデッドボルト４が組み込まれている。デッドボルト４はその先端部がボルト挿入孔３内に挿入され、後端部にはガイドピン５が支持されている。ガイドピン５の両端部はケース１の一対の側板１ａに形成されたガイド孔６内に挿入されている。
【００１５】
ガイド孔６はボルト挿入孔３に向けて長い長孔から成り、そのガイド孔６の両端にガイドピン５が当接する範囲内においてデッドボルト４は移動自在とされ、上記ガイド孔６の一端にガイドピン５が当接する状態でデッドボルト４の先端部はボルト挿入孔３から外方に所定長さ突出し、ドアＡによって開閉される出入口Ｂの内周のロック孔Ｃに嵌合するようになっている。
【００１６】
また、ガイド孔６の他端にガイドピン５が当接する状態でデッドボルト４の先端面はフロントプレート２の表面とほぼ同一面を形成するようになっている。
【００１７】
上記デッドボルト４は、ロック孔Ｃに先端部が嵌合する位置を施錠位置とされてドアＡを閉鎖位置で保持し、一方、先端面がフロントプレート２の表面とほぼ同一面を形成する位置を解錠位置とされてドアＡの開閉を自由とする。
【００１８】
デッドボルト４のケース１内に位置する後端部の上面には突出部７が設けられ、その突出部７の後端は傾斜面７ａとされている。また、デッドボルト４の後端部には連動枠８が取り付けられている。
【００１９】
連動枠８は端板８ａの両側に一対の側板８ｂが形成されて平面形状をコの字形とされ、その一対の側板８ｂ間にデッドボルト４の後端部が挿入されている。連動枠８の一対の側板８ｂには長孔９が形成され、その長孔９に前記ガイドピン５が挿入されている。また、連動枠８の一対の側板８ｂの先端部間には連動ピン１０が設けられている。連動ピン１０はデッドボルト４の後端部に形成されたピン挿入孔１１に挿入されている。
【００２０】
ピン挿入孔１１はデッドボルト４の移動方向に長い長孔とされ、そのピン挿入孔１１の両端に連動ピン１０が当接する範囲内においてデッドボルト４と連動枠８は相対的に移動自在とされている。
【００２１】
連動ピン１０とガイドピン５との間にはスプリング１２が取り付けられている。スプリング１２は連動枠８の端板８ａがデッドボルト４の後端面に接近する方向に連動枠８を付勢する圧縮スプリングから成り、そのスプリング１２の弾力によって連動ピン１０がピン挿入孔１１の一端に押し付けられている。
【００２２】
前記ケース１内にはデッドボルト４の後端部下方にロックレバー１３が設けられている。ロックレバー１３は後端部をピン１４で支持されて、そのピン１４を中心として揺動可能とされている。ロックレバー１３はピン１４に支持されたスプリング１５により上向きに付勢されて先端部がデッドボルト４の下面に押し付けられている。
【００２３】
デッドボルト４の後端部下面には第１係止段部１６と第２係止段部１７とがデッドボルト４の移動方向に間隔をおいて形成されている。第１係止段部１６はデッドボルト４の先端部がロック孔Ｃ内に完全に嵌り込む施錠状態においてロックレバー１３の先端と僅かな間隔をおいて対向するようになっており、一方、第２係止段部１７はデッドボルト４の先端部がロック孔Ｃ内に中途半端に嵌り込む状態においてロックレバー１３の先端と対向するようになっている。
【００２４】
一方、連動枠８における一対の側板８ｂの下辺には、第１傾斜縁１８および第２傾斜縁１９が形成されている。第１傾斜縁１８は第１係止段部１６がロックレバー１３の先端と対向するデッドボルト４の施錠状態で第１係止段部１６の前側に位置し、その状態から連動枠８がデッドボルト４に対して後退動すると第１傾斜縁１８がロックレバー１３の先端を押し下げてロックレバー１３を第１係止段部１６から外れるロック解除位置まで揺動させるようになっている。
【００２５】
一方、第２傾斜縁１９は、第２係止段部１７がロックレバー１３の先端と対向するデッドボルト４の中途半端な施錠状態で第２係止段部１７の前側に位置し、その状態から連動枠８がデッドボルト４に対して後退動すると第２傾斜縁１９がロックレバー１３の先端を押し下げて、ロックレバー１３を第２係止段部１７から外れるロック解除位置まで揺動させるようになっている。
【００２６】
なお、第１傾斜縁１８および第２傾斜縁１９を連続させて単一の傾斜縁としてもよい。
【００２７】
前記ケース１の内部には、デッドボルト４の後端部上方にシリンダカム２０が設けられている。シリンダカム２０はケース１の側板１ａ内面に取付けられた台座２１によって回転自在に支持される円筒部２２を有し、その円筒部２２の外周に突片２３とロッド連結片２４とが設けられている。
【００２８】
また、シリンダカム２０における円筒部２２の両端の端板２２ａには軸挿入孔２５が形成され、各軸挿入孔２５の内周には一対の突出部２６が１８０°の間隔をおいて設けられている。
【００２９】
円筒部２２の一端に設けられた軸挿入孔２５には図６に示すシリンダ錠３０のピンシリンダ３１の先端に設けられたトルク伝達片３２が挿入され、そのトルク伝達片３２が突出部２６を押圧することによってシリンダカム２０が正逆両方向に回動され、一方向への回転時に、突片２３がデッドボルト４の後端を押圧してデッドボルト４を施錠位置に向けて移動させるようになっている。また、シリンダカム２０の他方向への回動時に、突片２３が連動枠８の端板８ａを押圧して、その端板８ａがデッドボルト４の後端から離反する方向に連動枠８を移動させるようになっている。
【００３０】
一方、円筒部２２の他端に設けられた軸挿入孔２５にはサムターン３３のターン軸３４が挿入され、そのターン軸３４の外周には突出部２６の円周方向両端に係合する４本の突条３５が設けられている。
【００３１】
ここで、トルク伝達片３２は板状をなし、そのトルク伝達片３２と突出部２６との間に、図５に示すように、ほぼ９０°の遊びδが設けられている。
【００３２】
図１に示すように、シリンダカム２０のロッド連結片２４の先端にはロッド３６が連結され、そのロッド３６の先端部はケース１内に設けられた補強板３７の挿入孔３８内に挿入されている。ロッド３６にはスプリング３９が支持されている。スプリング３９はロッド連結片２４を押圧してシリンダカム２０に回転力を付与し、シリンダカム２０と挿入孔３８の各中心を結ぶ直線をデッドラインとして押圧方向が切り換わるようになっている。
【００３３】
図１に示す４０は、ロッド連結片２４の先端の当接によってシリンダカム２０の一方向の回転量を制限するストッパを示す。
【００３４】
実施の形態で示すドア錠は上記の構造から成り、図６に示すシリンダ錠３０のキー孔（図示省略）に操作キーを挿入してピンシリンダ３１を一方向に回転すると、そのピンシリンダ３１に設けられたトルク伝達片３２が図１に示すシリンダカム２０の突出部２６を押圧して、そのシリンダカム２０をピンシリンダ３１と同方向に回転させる。このため、シリンダカム２０の突片２３はデッドボルト４の後端を押圧し、その押圧によりデッドボルト４が外方向（施錠方向）に向けて移動して出入口Ｂの内周に形成されたロック孔Ｃ内に侵入する。
【００３５】
図１はデッドボルト４の先端部がロック孔Ｃ内に深く侵入した完全な施錠状態を示し、その状態においてロックレバー１３の先端は第１係止段部１６に対向する。このため、デッドボルト４に押し込み方向の外力が加えられてもデッドボルト４は解錠位置に向けて移動することはない。
【００３６】
ここで、ピンシリンダ３１に設けられたトルク伝達片３２と軸挿入孔２５の内周に形成された突出部２６の相互間にはほぼ９０°の遊びδがあるため、図１に示すロック孔Ｃ内にごみが溜まり、あるいは詰め物がされている状態で施錠動作が行われると、デッドボルト４が一定ストローク移動せず、中途半端な施錠状態とされ、その中途半端な施錠状態においてシリンダ錠３０から操作キーを引き抜くことができる。
【００３７】
従来のドア錠においては、デッドボルトが中途半端に施錠されていると、そのデッドボルトに押し込み方向の外力を加えることでデッドボルトが解錠位置まで移動し、住居内に不法に侵入されるおそれがあった。
【００３８】
しかしながら、実施の形態で示すドア錠においては、デッドボルト４が中途半端に施錠されると、ロックレバー１３の先端が第２係止段部１７に対向し、デッドボルト４に押し込み方向の外力が加えられると、第２係止段部１７がロックレバー１３の先端に係合し、その係合によってデッドボルト４が解錠位置に向けて移動するのが防止される。
【００３９】
したがって、デッドボルト４が中途半端に施錠されてもロックレバー１３の先端と第２係止段部１７の係合によってデッドボルト４を施錠位置に保持することができ、いたずらに解錠されるという不都合の発生はなくきわめて安全である。
【００４０】
図１に示すドア錠の施錠状態において、シリンダ錠３０のキー孔に操作キーを挿入してピンシリンダ３１を他方向（解錠方向）に回転すると、ピンシリンダ３１のトルク伝達片３２が突出部２６を押圧してシリンダカム２０をピンシリンダ３１と同方向に回転させる。
【００４１】
このとき、シリンダカム２０に設けられた突片２３は連動枠８の端板８ａを押圧して、連動枠８をデッドボルト４に対して後退動させ、その連動枠８の側板８ｂの下縁に設けられた第１傾斜縁１８がロックレバー１３の先端を押し下げる。その押し下げによりロックレバー１３は下方向に揺動して図４に示すように、ロックレバー１３の先端は第１係止段部１６から外れる状態とされる。さらに、連動枠８が後退すると、第２傾斜縁１９がロックレバー１３の先端を押し下げて、ロックレバー１３をさらに下方向に揺動させる。
【００４２】
ロックレバー１３の先端が第２係止段部１７から外れるロック解除位置までロックレバー１３が揺動すると、連動枠８に設けられた連動ピン１０がピン挿入孔１１の他端に係合し、その係合によって連動枠８と共にデッドボルト４が後退動する。
【００４３】
図５は、連動枠８の端板８ａがケース１の端板１ｂに当接する位置まで後退された状態を示し、デッドボルト４の先端部はロック孔Ｃから完全に抜け出して、その先端面がフロントプレート２の表面とほぼ同一面を形成する解錠状態に保持されている。その解錠状態において、シリンダ錠から操作キーを引き抜くと、スプリング１２の弾力により連動枠８の端板８ａがデッドボルト４の後端面に接近する方向に移動し、連動ピン１０がピン挿入孔１１の一端に当接すると連動枠８が停止する。
【００４４】
実施の形態では、デッドボルトの下面に第１係止段部と第２係止段部とを設けたが、係止段部の数はこれに限定されず、少なくとも二つ以上あればよい。
【図面の簡単な説明】
【００４５】
【図１】この発明に係るドア錠の縦断正面図
【図２】図１のII−II線に沿った断面図
【図３】図１に示すドア錠のデッドボルトと連動枠とを示す分解斜視図
【図４】図１に示すドア錠の解錠初期の状態を示す一部切欠正面図
【図５】図１に示すドア錠の解錠終了直前の状態を示す一部切欠正面図
【図６】図１に示すドア錠のシリンダ錠、シリンダカムおよびサムターンを示す分解斜視図
【符号の説明】
【００４６】
１  ケース
２  フロントプレート
３  ボルト挿入孔
４  デッドボルト
８  連動枠
１３  ロックレバー
１５  スプリング
１６  第１係止段部
１７  第２係止段部
１８  第１傾斜縁
１９  第２傾斜縁
２０  シリンダカム
２３  突片
３０  シリンダ錠
３３  サムターン
【図１】
2005273370.tif 000003
【図２】
2005273370.tif 000004
【図３】
2005273370.tif 000005
【図４】
2005273370.tif 000006
【図５】
2005273370.tif 000007
【図６】
2005273370.tif 000008